(57)【要約】【課題】機器識別用非接触タグを備えた情報機器に、情報機器の外部に位置する別の非接触タグの読み取りを目的としたリーダライタ部が内蔵されており、このリーダライタ部は、目的とする非接触タグの読み取り時に、誤って、機器識別用非接触タグの情報を読み取ってしまうという課題があった。【解決手段】情報機器内のリーダライタ部と、情報機器内部の非接触タグの間に電波遮蔽物を配置する。また、内部の非接触タグに対して、情報機器の制御部から応答禁止するための通信手段、非接触タグの制御方法を有することで、リーダライタ部動作中は、情報機器内部の非接触タグの応答を禁止する。上記方法または組み合わせにより、リーダライタ部が情報機器内部の非接触タグの情報を誤って読み取ることを防止し、目的とする目的非接触タグの情報を読み取るようにする。【選択図】図１
2006079263.tif 000002
【特許請求の範囲】
【請求項１】
識別情報を有する識別用非接触タグと、
非接触タグの情報の読み取りおよび／または書き込みを行うリーダライタ部とを備え、
前記識別用非接触タグの通信部である第１のアンテナと前記リーダライタ部の通信部である第２のアンテナとの間に電波を遮蔽する遮蔽物を設けた情報機器。
【請求項２】
識別情報を有する識別用非接触タグと、
非接触タグの情報の読み取りおよび／または書き込みを行うリーダライタ部とを備え、
前記識別用非接触タグの通信部である第１のアンテナと、前記リーダライタ部の通信部である第２のアンテナとを、発生する磁束の向きが直交となるように配置した情報機器。
【請求項３】
識別情報を有する識別用非接触タグと、
非接触タグの情報の読み取りおよび／または書き込みを行うリーダライタ部と、
前記リーダライタ部の動作を指示するための入力部と、
前記識別用非接触タグの通信部である第１のアンテナの位置を移動する駆動部と、
前記入力部からの信号に基づいて前記駆動部と前記リーダライタ部を制御する制御部を備え、
前記リーダライタ部が動作している場合には、前記制御部は、前記駆動部を制御して前記第１のアンテナを前記リーダライタ部の通信部である第２のアンテナに対して発生する磁束が直交となる位置に移動する情報機器。
【請求項４】
識別情報を有する識別用非接触タグと、
非接触タグの情報の読み取りおよび／または書き込みを行うリーダライタ部と、
前記リーダライタ部の動作を指示するための入力部と、
前記入力部からの信号に基づいて前記識別用非接触タグと前記リーダライタ部を制御する制御部を備え、
前記リーダライタ部が動作している場合には、前記制御部は、前記識別用非接触タグに応答を禁止させる旨の信号を送信して前記識別用非接触タグの応答を禁止する情報機器。
【請求項５】
識別情報を有しており光スイッチを備えた識別用非接触タグと、
非接触タグの情報の読み取りおよび／または書き込みを行うリーダライタ部と、
前記リーダライタ部の動作を指示するための入力部と、
光を発する発光部と、
前記入力部からの信号に基づいて前記発光部と前記リーダライタ部を制御する制御部と、
少なくとも前記識別用非接触タグと前記発光部を内部に収容する筐体とを備え、
前記リーダライタ部が動作している場合には、前記制御部は前記発光部を発光させ、前記識別用非接触タグの前記光スイッチが動作することで前記識別用非接触タグが応答不可となる情報機器。
【請求項６】
識別情報を有する識別用非接触タグと、
前記識別用非接触タグの識別情報を記憶する記憶部と、
非接触タグの情報の読み取りおよび／または書き込みを行うリーダライタ部と、
前記リーダライタ部が読み取った情報と前記記憶部に記憶されている情報とを比較する比較部と、  
各部の制御を行う制御部とを備え、
前記比較部が一致すると判断した場合には、前記比較部はこの一致した読み取った情報を無効とする情報機器。
【請求項７】
比較部により一致すると判断された場合には、この一致した読み取った情報を消去して読み取った情報を無効とし、制御部から識別用非接触タグに応答禁止コマンドを送信することで識別用非接触タグの応答を禁止する請求項６記載の情報機器。
【請求項８】
識別用非接触タグが有する識別情報はこの識別非接触タグが設けられた情報機器を識別するための識別情報である請求項１から７のいずれか１項に記載の情報機器。
【請求項９】
非接触タグの情報の読み取りおよび／または書き込みを行うリーダライタ部と、
前記リーダライタ部の動作を指示するための入力部と、
前記入力部からの信号に基づいて前記リーダライタ部を制御する制御部と、
非接触タグと通信するための通信手部とを備えた情報機器に設けられる非接触タグであって、
前記リーダライタ部が動作している場合に前記制御部が送信した応答を禁止させる旨の信号を受信することで応答不可となる非接触タグ。
【請求項１０】
非接触タグの情報の読み取りおよび／または書き込みを行うリーダライタ部と、
前記リーダライタ部の動作を指示するための入力部と、
光を発する発光部とを備えた情報機器に設けられる非接触タグであって、
前記非接触タグは光を受けることにより動作する光スイッチを備え、
前記リーダライタ部が動作している場合に前記制御部により制御された前記発光部が発光した光を受けて前記光スイッチが動作することで応答不可となる非接触タグ。
【発明の詳細な説明】
【技術分野】
【０００１】
本発明は、非接触タグと、非接触タグの情報を読み取るためにリーダライタ部を搭載した情報機器に関するものである。
【背景技術】
【０００２】
近年、非接触タグや非接触タグの情報の読み取りおよび／または書き込みを行うリーダライタは、工場での工程管理、個人認証、商品管理など幅広い分野で利用されている。
【０００３】
非接触タグは、アンテナ、制御部、通信部  電源部、記憶部等からなる。そして、非接触タグの記憶部には、この非接触タグを識別するための情報等が格納されている。リーダライタはこの非接触タグに格納されている情報の読み出しまたは書き込みを行うための装置である。リーダライタはアンテナ部、制御部からなり、一般的にはさらに通信部を備え、この通信部を介して外部にある上位機器等と接続されている。
【０００４】
非接触タグの記憶部内の情報は、非接触タグのアンテナ部とリーダライタのアンテナ部とを経由して、リーダライタにより読み出しまたは書き込みが可能である。リーダライタと非接触タグとの情報のやり取りは、リーダライタあるいは非接触タグから発せられる情報交信用電波あるいは情報交信用磁束を用いて行われる。非接触タグで本情報交信用電波・磁束を受信することで、非接触タグの制御部より記憶部の情報を読み出し、読み出した情報をリーダライタに送信する。リーダライタは無線タグから得られた情報を通信部を経由して上位装置に送信する。
【０００５】
また、近年の携帯電話はインターネット接続機能を有している。そして、簡単にインターネットにアクセスすることを目的として、携帯電話に内蔵されたカメラでバーコードや２次元コードを読み取り、得られた情報を元にインターネットにアクセスして該当する情報を画面に表示するものが知られている（例えば特許文献１参照）。
【０００６】
また、これらのインターネット接続機能付き携帯電話に非接触タグを搭載し、非接触タグに電子マネーの情報を格納したり、機器識別用の情報を格納し、この情報を携帯電話外部のリーダライタから読み出して、電子マネーサービスを提供したり、個人認証等に利用する等の用途が拡がってきている（例えば、非特許文献１参照）。
【０００７】
図１２に上記従来の携帯電話や携帯情報端末や小型のパーソナルコンピュータに代表される情報機器の概略構成を示している。１０１は機器識別用非接触タグ１０３を内蔵する情報機器であり、１０２は情報機器１０１の制御部、１０３は情報機器１０１に内蔵されている機器識別用非接触タグ、１０４は非接触タグ１０３の制御部である。１０５は情報機器１０１の制御部と非接触タグ１０３の制御部１０４との通信手段であり、例えば信号線を用いたシリアル通信が可能なシリアル通信手段等で実現される。１０６は数字等の情報を入力するための入力部、１０７は情報等を記憶する記憶部である。また、１０８は情報機器１０１の外部にある外部リーダライタであり、情報機器１０１に内蔵されている非接触タグ１０３の内部の情報の読み取りおよび／または書き込みが可能である。
【０００８】
なお、外部リーダライタ１０８は、上位機器（図示せず）と通信手段（図示せず）により接続されており、情報機器１０１に内蔵されている非接触タグ１０３から読み出した情報を上位機器に送信することができる。また上位機器から指示された情報を非接触タグ１０３に書き込むこともできる。
【特許文献１】特開２００２−２３２５５０（第１−６頁）
【非特許文献１】エヌ・ティ・ティ  ドコモ株式会社、“ｉモード ＦｅｌｉＣａ サービスを開始“、［ｏｎｌｉｎｅ］、平成１６年６月１６日、エヌ・ティ・ティ  ドコモ株式会社Ｗｅｂサイト、［平成１６年７月２７日検索］、インターネット＜ＵＲＬ：http://www.nttdocomo.co.jp/new/contents/04/whatnew0616.html＞
【発明の開示】
【発明が解決しようとする課題】
【０００９】
携帯電話に代表される情報機器を用いて情報機器の外部等に存在する非接触タグの情報の読み取りや書き込みを行うことが検討されており、広域での情報交換手段を有する携帯電話にリーダライタ部を搭載して非接触タグの情報の読み取りおよび／または書き込みを行うことで、比較的広域での非接触タグの情報収集が行えるようになる。
【００１０】
これを実現するためには、携帯電話に非接触タグの読み取りおよび／または書き込み機能を有するリーダライタ部を搭載する必要があり、図１２にこれを実現するための情報機器１０１の一例を示している。図１３の情報機器１０１は、図１２に示した情報機器１０１の構成に加えて、情報機器１０１内に非接触タグの読み取り書き込み機能を有するリーダライタ部２０１を設けている。なお、図１３の説明において、図１２で説明した部分については説明を省略する。
【００１１】
図１３において、リーダライタ部２０１は、情報機器１０１の外部にある目的非接触タグ２０２の情報の読み取りおよび／または書き込みが可能である。また、リーダライタ部２０１と制御部１０２は通信可能に接続されており、リーダライタ部２０１で読み取った情報を制御部１０２に送信し、記憶部１０７に記憶することができる。また、非接触タグ２０２への書き込み情報を制御部１０２からリーダライタ部２０１に送信し、リーダライタ部２０１にて情報機器１０１の外部にある目的非接触タグ２０２に情報を書きこむ事も可能である。
【００１２】
ここで、図１３において、情報機器１０１内部に設けたリーダライタ部２０１により目的非接触タグ２０２の情報を読み取ることを考える。制御部１０２は入力部１０６に入力された読み取り指示に基づいてリーダライタ部２０１を起動する。目的非接触タグ２０２の情報を読み取るためにリーダライタ部２０１のアンテナ（図示せず）から出力された電波は、目的非接触タグ２０２がある方向（図１３に示すＡ方向）だけでなく、情報機器１０１に内蔵されている機器識別用非接触タグ１０３の方向（図１３に示すＢ方向）にも伝搬される。
【００１３】
このため、リーダライタ部２０１は、目的非接触タグ２０２の読み取り操作時に、情報機器１０１の操作者が読み取りを意図していない情報機器１０１内部の非接触タグ１０３の情報を読み取ってしまう。
【００１４】
これに起因して、非接触タグの読み取り操作時に、目的とする目的非接触タグ２０２の情報が読み取れないといった問題や、非接触タグのアンチコリジョン機能（衝突検出機能）により読み取り速度が低下してしまうといった問題が生じる。
【００１５】
本発明は、情報機器１０１に搭載するリーダライタ部２０１により目的非接触タグ２０２の情報を読み取る際に、情報機器１０１に設けられている機器識別用非接触タグ１０３の情報を読み取ってしまうことを防ぐことを目的とする。
【課題を解決するための手段】
【００１６】
上記課題を解決するために、本発明の情報機器は、識別情報を有する識別用非接触タグと、非接触タグの情報の読み取りおよび／または書き込みを行うリーダライタ部とを備え、前記識別用非接触タグの通信部である第１のアンテナと前記リーダライタ部の通信部である第２のアンテナとの間に電波を遮蔽する遮蔽物を設けたものである。
【００１７】
この構成によれば、リーダライタ部のアンテナ部と識別用非接触タグのアンテナ部との間に設けた電波遮蔽物により、リーダライタ部が識別用非接触タグの情報の読み取りおよび／または書き込みを誤って行うことを防止することができる。
【００１８】
また、本発明の情報機器は、識別情報を有する識別用非接触タグと、非接触タグの情報の読み取りおよび／または書き込みを行うリーダライタ部とを備え、前記識別用非接触タグの通信部である第１のアンテナと、前記リーダライタ部の通信部である第２のアンテナとを、発生する磁束の向きが直交となるように配置したものである。
【００１９】
この構成によれば、識別用非接触タグのアンテナとリーダライタ部のアンテナの磁束の向きが直交となるため、リーダライタ部が識別用非接触タグの情報の読み取りおよび／または書き込みを誤って行う可能性を低減することができる。
【００２０】
また、本発明の情報機器は、識別情報を有する識別用非接触タグと、非接触タグの情報の読み取りおよび／または書き込みを行うリーダライタ部と、前記リーダライタ部の動作を指示するための入力部と、前記識別用非接触タグの通信部である第１のアンテナの位置を移動する駆動部と、前記入力部からの信号に基づいて前記駆動部と前記リーダライタ部を制御する制御部を備え、前記リーダライタ部が動作している場合には、前記制御部は、前記駆動部を制御して前記第１のアンテナ部を前記リーダライタ部の通信部である第２のアンテナに対して発生する磁束が直交となる位置に移動するものである。
【００２１】
この構成によれば、識別用非接触タグのアンテナと、リーダライタ部のアンテナの磁束の向きが直交となるため、リーダライタ部で機器識別用非接触タグの情報の読み取りおよび／または書き込みを誤って行う可能性を低減できる。また、リーダライタ部で識別用非接触タグ内の情報の読み取りおよび／または書き込みが必要な際には、制御部より駆動部を制御して、非接触タグのアンテナをリーダライタ部を構成するアンテナに対して発生する磁束と垂直となる位置に移動することで可能となる。
【００２２】
また、本発明の情報機器は、識別情報を有する識別用非接触タグと、非接触タグの情報の読み取りおよび／または書き込みを行うリーダライタ部と、前記リーダライタ部の動作を指示するための入力部と、前記入力部からの信号に基づいて前記識別用非接触タグと前記リーダライタ部を制御する制御部を備え、前記リーダライタ部が動作している場合には、前記制御部は、前記識別用非接触タグに応答を禁止させる旨の信号を送信して前記識別用非接触タグの応答を禁止するものである。
【００２３】
この構成によれば、リーダライタ部が動作中は識別用非接触タグの応答が禁止されるため、リーダライタ部が機器識別用非接触タグの情報の読み取りおよび／または書き込みを誤って行うことを防止することができる。
【００２４】
また、本発明の情報機器は、識別情報を有しており光スイッチを備えた識別用非接触タグと、非接触タグの情報の読み取りおよび／または書き込みを行うリーダライタ部と、前記リーダライタ部の動作を指示するための入力部と、光を発する発光部と、前記入力部からの信号に基づいて前記発光部と前記リーダライタ部を制御する制御部と、少なくとも前記識別用非接触タグと前記発光部を内部に収容する筐体とを備え、前記リーダライタ部が動作している場合には、前記制御部は前記発光部を発光させ、前記識別用非接触タグの前記光スイッチが動作することで前記識別用非接触タグが応答不可となるものである。
【００２５】
この構成によれば、リーダライタ部が動作中は識別用非接触タグの応答が禁止されるため、リーダライタ部で識別用非接触タグの情報の読み取りおよび／または書き込みを誤って行うことを防止することができる。
【００２６】
また、本発明の情報機器は、識別情報を有する識別用非接触タグと、前記識別用非接触タグの識別情報を記憶する記憶部と、非接触タグの情報の読み取りおよび／または書き込みを行うリーダライタ部と、前記リーダライタ部が読み取った情報と前記記憶部に記憶されている情報とを比較する比較部と、各部の制御を行う制御部とを備え、前記比較部が一致すると判断した場合には、前記比較部はこの一致した読み取った情報を無効とするものである。
【００２７】
この構成によれば、目的非接触タグを読み取るためのリーダライタ部の動作中に、識別用非接触タグの情報を読み取っても比較部でこの誤った情報と判断して無効としすることで目的非接触タグの読み取りを正しく行うことができる。
【００２８】
また、本発明の情報機器は、比較部により一致すると判断された場合には、この一致した読み取った情報を消去して読み取った情報を無効とし、制御部から識別用非接触タグに応答禁止コマンドを送信することで識別用非接触タグの応答を禁止するものである。
【００２９】
この構成によれば、リーダライタ部が動作中は識別用非接触タグがリーダライタ部の動作中は応答が禁止されるため、リーダライタ部で識別用非接触タグの情報の読み取りおよび／または書き込みを誤って行うことを防止できる。
【００３０】
また、本発明の情報機器は、識別用非接触タグが有する識別情報はこの識別非接触タグが設けられた情報機器を識別するための識別情報としたものである。
【００３１】
また、本発明の非接触タグは、非接触タグの情報の読み取りおよび／または書き込みを行うリーダライタ部と、前記リーダライタ部の動作を指示するための入力部と、前記入力部からの信号に基づいて前記リーダライタ部を制御する制御部と、非接触タグと通信するための通信手部とを備えた情報機器に設けられる非接触タグであって、前記リーダライタ部が動作している場合に前記制御部が送信した応答を禁止させる旨の信号を受信することで応答不可となるものである。
【００３２】
また、本発明の非接触タグは、非接触タグの情報の読み取りおよび／または書き込みを行うリーダライタ部と、前記リーダライタ部の動作を指示するための入力部と、光を発する発光部とを備えた情報機器に設けられる非接触タグであって、前記非接触タグは光を受けることにより動作する光スイッチを備え、前記リーダライタ部が動作している場合に前記制御部により制御された前記発光部が発光した光を受けて前記光スイッチが動作することで応答不可となるものである。
【発明の効果】
【００３３】
以上のように、本発明によれば、情報機器に備えられたリーダライタ部による情報機器に備えられた非接触タグの読み取りを防止でき、目的とする非接触タグの情報を読み取ることができる。
【発明を実施するための最良の形態】
【００３４】
（実施の形態１）
以下、本実施の形態について、図１と図２を用いて説明する。なお、背景技術および発明が解決しようとする課題で説明した図１２および図１３で示した構成要素と同様のものについては、同一の符号を付して説明する。
【００３５】
図１において、１０１は携帯電話、携帯情報端末、小型のパーソナルコンピュータ等の情報機器である。１０２は情報機器１０１の制御部であり、１０６は情報の入力や情報読み取り指示等を入力するための入力部であり、１０７は情報を記憶するための記憶部である。１０３は情報機器１０１に内蔵されており識別情報を有する機器識別用非接触タグであり、１０４は機器識別用非接触タグ１０３の制御部である。１０５は情報機器１０１の制御部１０２と機器識別用非接触タグ１０３の制御部１０４との通信を行うための通信手段である。２０１は非接触タグの情報の読み取り書き込み機能を有するリーダライタ部である。３０１は電波遮蔽物であり、リーダライタ部２０１のアンテナ（図示せず）と機器識別用非接触タグ１０３のアンテナ（図示せず）の間に配置されている。なお、上記各構成要素は情報機器１０１の内部に内蔵されている。
【００３６】
２０２は情報機器１０１の外部に存在し情報機器１０１のリーダライタ部２０１による読み取り書き込み対象である目的非接触タグである。なお、リーダライタ部２０１は目的非接触タグ２０２内部の情報の読み出しおよび／または書き込みが可能である。
【００３７】
ここで、電波遮蔽物３０１とリーダライタ部２０１と機器識別用非接触タグ１０３と目的非接触タグ２０２との位置関係の概要を、図２を用いて説明する。
【００３８】
図２において、４０１はリーダライタ部２０１のアンテナであり、図１のリーダライタ部２０１に備えられているアンテナを表している。４０２は機器識別用非接触タグ１０３のアンテナであり、図１の機器識別用非接触タグ１０３に備えられているアンテナを意味している。図１に示す電波遮蔽物３０１は、図２においても３０１で示しており、リーダライタ部２０１のアンテナ４０１と機器識別用非接触タグ１０３のアンテナ４０２の間に両アンテナ面と水平になるように設けられている。なお、この電波遮蔽物３０１はリーダライタ部２０１のアンテナ４０１から出力される電波を十分に遮蔽できる大きさと形状を有している。４０４は情報機器１０１の外部ある目的非接触タグ２０２のアンテナであり、図１の目的非接触タグ２０２に備えられているアンテナを表している。
【００３９】
以上のように構成された情報機器１０１について、その動作を説明する。
【００４０】
制御部１０２は入力部１０６に入力された読み取りおよび／または書き込み指示に基づいてリーダライタ部２０１を起動する。リーダライタ部２０１は目的非接触タグ２０２内部の情報の読み取りおよび／または書き込みを行うため交信用の電波を発生する。なお、この電波は目的非接触タグ２０２の方向である図１、２におけるＡ方向に伝搬されるが、同時に、機器識別用非接触タグ１０３の方向である図１、２におけるＢ方向にも伝搬される。しかし、Ｂ方向に伝搬する電波は電波遮蔽物３０１により遮蔽されるため、機器識別用非接触タグ１０３のアンテナ４０２に到達しない、すなわち、リーダライタ部２０１が機器識別用非接触タグ１０３の情報を読み取ってしまうことを防止することができ、読み取り対象である目的非接触タグ２０２とのみ通信することが可能となる。
【００４１】
ここで、電波遮蔽物３０１は、電波が通過する穴の無い高純度のアルミ薄膜などを用いる。なお、非接触タグを金属面に接触して使用すると、磁束が異常反射して電磁誘導に影響を及ぼすため、リーダライタ部２０１を用いて正しく情報交信ができないことがある。そこで、電波遮蔽物３０１とアンテナ４０１、４０２との間にはアモルファス等の導電体を配置し、この導電体の配置により磁束がアモルファスの表面を経由するので通信を行いやすくすることが可能できる。
【００４２】
なお、本実施の形態では、機器識別用非接触タグ１０３を情報機器１０１に内蔵する例を示したが、機器識別用非接触タグ１０３を情報機器１０１の外表面に取り付けるようにしても良い。
【００４３】
（実施の形態２）
本実施の形態において、実施の形態１と同様の箇所については同一の符号を付して詳細な説明を省略する。実施の形態１と異なるのは、図３に示すように、電波遮蔽物３０１を設けず、機器識別用非接触タグ１０３のアンテナ４０２とリーダライタ部２０１のアンテナ４０１とを、各々のアンテナが発生する磁束の向きが直交となるように配置した点であり、具体的には、機器識別用非接触タグ１０３のアンテナ４０２をリーダライタ部２０１のアンテナ４０１が発する磁束の影響を受けない方向、つまり、リーダライタ部２０１のアンテナ４０１が発する磁束方向と並行に配置した点である。
【００４４】
図３において、４０１はリーダライタ部２０１のアンテナであり、図１におけるリーダライタ部２０１に備えられているアンテナを表している。４０２は機器識別用非接触タグ１０３のアンテナであり、図１２の機器識別用非接触タグ１０３に備えられているアンテナを表している。４０４は目的非接触タグ２０２のアンテナであり図１の目的非接触タグ２０２に備えられているアンテナを表している。
【００４５】
本実施の形態では、図３に示すとように、機器識別用非接触タグ１０３のアンテナ４０２はリーダライタ部２０１のアンテナ４０１から発生する磁束方向であるＢ方向と並行に配置されている。このような配置とすることで、リーダライタ部２０１のアンテナ４０１から発せられる磁束の影響を最小限とし、目的非接触タグ２０２と交信したい時に、目的としない機器識別用非接触タグ１０３の情報の誤って読み取りおよび／または書き込みをしてしまうことを防止することができる。
【００４６】
（実施の形態３）
本実施の形態において、実施の形態２と同様の箇所については同一の符号を付して詳細な説明を省略する。実施の形態２と異なるのは、図４に示すように、機器識別用非接触タグ１０３のアンテナ４０２の位置を固定とせず、このアンテナ４０２の位置を移動させるための駆動部６０１を備えた構成とし、アンテナ４０２の位置を変更可能にした点である。
【００４７】
図４において、４０１はリーダライタ部のアンテナであり、４０２は機器識別用非接触タグ１０３のアンテナであり、４０３は目的非接触タグ２０２のアンテナである。また、６０１はアンテナ４０２の位置を変更させるための駆動部である。なお、駆動部６０１により変更されるアンテナ４０２の位置として、位置Ａと位置Ｂの２つの位置を図に示している。
【００４８】
実施の形態２で述べた通り、機器識別用非接触タグ１０３のアンテナ４０２はリーダライタ部２０１のアンテナ４０１が発生する磁束方向であるＢ方向と並行に配置したときに（位置Ｂの状態）、磁束の影響が最小限となり情報交信が行えない。これにより機器識別用非接触タグ１０３の誤った読み取りおよび／または書き込み処理を防止することができる。
【００４９】
しかし、情報機器１０１の運用を考えると、機器識別用非接触タグ１０３に対して、同一の情報機器１０１に内蔵されているリーダライタ部２０１から情報を書き込めると、情報機器１０１内の制御部１０２と機器識別用非接触タグ１０３間の通信手段１０５が不要になり、情報機器１０１に内蔵する機器識別用非接触タグ１０３として、制御部１０２との通信手段１０５と接続することを必要としない目的非接触タグ２０２と同じ構成の非接触タグが利用可能となるという利点がある。
【００５０】
しかし、機器識別用非接触タグ１０３とリーダライタ部２０１で交信するためには、図３で示したように機器識別用非接触タグ１０３のアンテナ４０２が固定的に配置されているとリーダライタ部２０１のアンテナ４０１から発せられる磁束を機器識別用非接触タグ１０３のアンテナ４０２で受信して情報交信を開始することが難しい。
【００５１】
そこで、本発明の形態では、機器識別用非接触タグ１０３のアンテナ４０２の位置を変えるための駆動部６０１を備える構成とし、この駆動部６０１と制御部１０２を接続し、制御部１０２から駆動部６０１を制御して機器識別用非接触タグ１０３のアンテナ４０２の位置を変更可能な構成としている。
【００５２】
駆動部６０１を動作させるための電源は情報機器１０１が有しており（図示せず）、駆動部６０１に接続されている。駆動部６０１は図４において機器識別用非接触タグ１０３のアンテナ４０２を図中の位置Ａ（リーダライタ部２０１のアンテナ４０１が発生する磁束方向に対してアンテナが垂直な方向）または  位置Ｂ（磁束方向に対してアンテナが並行な方向）に駆動することができる。
【００５３】
駆動部６０１は、ステッピングモータに代表されるように中心に回転軸を有している。この軸を情報機器１０１の制御部１０２から回転角度情報を指示することにより指定した角度に制御することが可能である。ステッピングモータを利用した場合、この回転角度情報はパルス情報で入力することが多い。駆動部６０１はアンテナの水平面の外部に位置しており、駆動部６０１の回転軸とアンテナ４０２が接続されている。図４の破線部は駆動部６０１の回転軸の延長線を表している。アンテナ４０２はこの回転軸に接続されているため、駆動部６０１を用いて図４の破線部を中心として所定の角度に回転させることが可能である。アンテナ４０２は位置Ａの位置において駆動部６０１の回転軸が右側に９０度回転することで位置Ｂとなる。また位置Ｂにおいて回転軸を左側に９０度回転することで位置Ａとなる。
【００５４】
入力部１０６から目的非接触タグ２０２を読み取るためのキー押下情報などが入力されると、制御部１０２は、機器識別用非接触タグ１０３のアンテナ４０２の駆動部６０１に対して、アンテナを位置Ｂになるように制御する。この時、駆動部６０１から制御部１０２に対して移動後の位置情報を返信し、制御の精度を向上することもできる。アンテナ４０２が位置Ｂに移動後、制御部１０２はリーダライタ部２０１に対して目的非接触タグ２０２との情報の読み取りまたは書き込みを行うよう指示する。リーダライタ部２０１のアンテナ４０１からはＡ方向およびＢ方向ともに非接触タグとの情報交信用電波が発生するが、機器識別用非接触タグ１０３のアンテナ４０２は図４に示す位置Ｂに移動しているため、リーダライタ部２０１から情報の読み取りおよび／または書き込み処理を行うことができない。すなわち、リーダライタ部２０１は機器識別用非接触タグ１０３と通信することなく、目的非接触タグ２０２とのみ情報の交信が可能となる。
【００５５】
一方、入力部１０６から機器識別用非接触タグ１０３と通信を行うことを指示する情報が入力されると、制御部１０２は、機器識別用非接触タグ１０３のアンテナ４０２の駆動部６０１に対してアンテナを位置Ａになるように制御する。アンテナ４０２が位置Ａに移動後、制御部１０２はリーダライタ部２０１に対して、機器識別用非接触タグ１０３との情報の読み取りまたは書き込みを行うよう指示する。リーダライタ部２０１のアンテナ４０１からは、Ａ方向およびＢ方向に電波が発生されるので、機器識別用非接触タグ１０３のアンテナ４０２とリーダライタ部２０１のアンテナ４０１との間で情報交信が可能となる。なお、この場合、情報機器１０１のリーダライタ部２０１の通信可能範囲内に目的非接触タグ２０２が存在しない状態で機器識別用非接触タグ１０３と通信することが望ましい。
【００５６】
以上のように、本実施の形態の情報機器１０１では、機器識別用非接触タグ１０３のアンテナ４０２の位置を変更するための駆動部６０１を備え、制御部１０２から駆動部６０１を制御可能とすることで、リーダライタ部２０１により目的非接触タグ２０２の情報を読み取る時には、機器識別用非接触タグ１０３のアンテナ４０２の位置をリーダライタ部２０１との情報交信ができない位置Ｂとし、これにより、機器識別用非接触タグ１０３することを防いで目的非接触タグ２０２とのみ交信可能とすることができる。また、機器識別用非接触タグ１０３のアンテナ４０２を図４に示す位置Ａになるよう移動することで、情報機器１０１に内蔵したリーダライタ部２０１を用いて機器識別用非接触タグ１０３との情報交信を可能とすることができる。
【００５７】
（実施の形態４）
本実施の形態において、実施の形態１と同様の箇所については同一の符号を付して詳細な説明を省略する。実施の形態１と異なるのは、電波遮蔽物３０１を設けず、制御部１０２から機器識別用非接触タグ１０３に応答禁止信号を送信して機器識別用非接触タグ１０３が応答しないようにした点である。
【００５８】
図５において、１０４は機器識別用非接触タグ１０３の制御部であり、１０２は情報機器１０１の制御部である。１０２と１０４は通信手段１０５で接続されており、制御部１０２から機器識別用非接触タグ１０３の動作を制御可能となっている。なお、機器識別用非接触タグ１０３は、情報機器１０１が有している電源部（図示せず）から電源が供給されており、リーダライタ部２０１からの電波を受信することなく動作可能な構成となっている。
【００５９】
また、通信手段１０５を用いて情報機器１０１の制御部１０２から機器識別用非接触タグ１０３の制御部１０４に応答禁止信号を送出し、この応答禁止信号が有効な間は、機器識別用非接触タグ１０３はリーダライタ部２０１から交信用電波を受けてもリーダライタ部２０１との交信を禁止する構成としている。
【００６０】
機器識別用非接触タグ１０３の制御部１０４は、情報機器１０１の制御部１０２からの応答禁止信号を通信手段１０５を経由して受信することで、制御部１０２が機器識別用非接触タグ１０３に対して応答禁止状態となるように指示していることを検知することができる。そして、機器識別用非接触タグ１０３の制御部１０４は、この応答禁止信号を検知している間はリーダライタ部２０１からの情報交信用電波を受けても応答を行わない。
【００６１】
以上のように構成された情報機器１０１について、その動作を説明する。
【００６２】
情報機器１０１の操作者は、入力部１０６により目的非接触タグ２０２を読み取るための情報（キー操作等）を入力する。これを検知した情報機器１０１の制御部１０２は、通信手段１０５を用いて、機器識別用非接触タグ１０３の制御部１０４に対して応答禁止信号を伝達する。機器識別用非接触タグ１０３はこの情報機器１０１の制御部１０２から伝達されてきた応答禁止信号を検知すると、リーダライタ部２０１からの情報交信用電波を受信しても応答動作を行わない。なお、この応答を行わない動作は、制御部１０４内部に記憶されているプログラムにより実現される。
【００６３】
以上のように、本実施の形態の情報機器１０１は、入力部１０６に目的非接触タグ２０２を読み取るための情報（キー操作等）が入力されると、情報機器１０１の制御部１０２から機器識別用非接触タグ１０３に応答禁止信号を送信して機器識別用非接触タグ１０３の応答を禁止することで、リーダライタ部２０１にて目的非接触タグ２０２の情報を読み取っている際に機器識別用非接触タグ１０３の情報を誤って読み取ることを防止することができる。
【００６４】
（実施の形態５）
本実施の形態において、実施の形態４と同様の箇所については同一の符号を付して詳細な説明を省略する。実施の形態４と異なるのは、実施の形態４の図５における通信手段１０５を、図６に示す情報機器１０１の制御部１０２に接続された発光部７０１と機器識別用非接触タグ１０３の制御部１０４に接続された光スイッチ７０２とで構成するようにした点である。
【００６５】
図６において、発光部７０１と光スイッチ７０２を含む部分は情報機器１０１の筐体内にて外部の光を遮断するように配置されている。そして、発光部７０１が点灯しない時は外部の光が遮光されているので、光スイッチ７０２は作動しない。なお、機器識別用非接触タグ１０３は、情報機器１０１の電源部（図示せず）から電源が供給されており、機器識別用非接触タグ１０３の制御部１０４は、リーダライタ部２０１からの情報交信電波を受信してこれを電源としなくても動作可能な構成となっている。
【００６６】
また、図６に示すように、機器識別用非接触タグ１０３は光スイッチ７０２を備えており、制御部１０２により発光が制御される発光部７０１を用いて、機器識別用非接触タグ１０３がリーダライタ部２０１との交信を禁止するか否かを制御可能となっている。なお、発光部７０１が点灯していない状態（通常状態）では、リーダライタ部２０１との情報交信用電波を受信した場合にリーダライタ部２０１との交信が可能である。一方、発光部７０１が点灯している状態（リーダライタ部２０１が動作している状態）では、リーダライタ部２０１との交信が禁止となる。なお、入力部１０６から目的非接触タグ２０２を読み取るための情報（キー押下情報）が入力されるとリーダライタ部２０１は読み取り動作状態となる。
【００６７】
また、機器識別用非接触タグ１０３に備えられた光スイッチ７０２は、通常時はＯＦＦであり、この場合、機器識別用非接触タグ１０３の制御部１０４はリーダライタ部２０１からの電波を受信することで情報交信が可能である。一方、情報機器１０１の制御部１０２に接続された発光部７０１が点灯すると、機器識別用非接触タグ１０３に備えられた光スイッチ７０２がＯＮとなり、機器識別用非接触タグ１０３の制御部１０４が光スイッチ７０２がＯＮであることを検知すると、制御部１０４内に記憶されているプログラムによりこれを検出する。制御部１０４内に記憶されているプログラムでは、光スイッチ７０２がＯＮの間はリーダライタ部２０１からの電波を受信しても機器識別用非接触タグ１０３が応答しないように制御する。
【００６８】
以上のように構成された情報機器１０１について、その動作を説明する。
【００６９】
入力部１０６から目的非接触タグ２０２を読み取るための情報（キー押下情報）が入力されると、制御部１０２は発光部７０１を点灯する。そして、機器識別用非接触タグ１０３の制御部１０４に接続された光スイッチ７０２で発光部７０１の光を検知することで、機器識別用非接触タグ１０３の制御部１０４は応答禁止状態となる。この状態では、機器識別用非接触タグ１０３は、リーダライタ部２０１から発せられる情報交信用電波束を受信しても応答しない。これにより、リーダライタ部２０１は目的非接触タグ２０２とのみ情報の交信が可能となる。
【００７０】
以上のように、本実施の形態の情報機器１０１は、リーダライタ部２０１が読み取り状態となり、リーダライタ部２０１からの情報交信用電波が機器識別用非接触タグ１０３のアンテナに伝搬しても、制御部１０２から発光部７０１を点灯し、機器識別用非接触タグに備えられた光スイッチ７０２にてこれを検知し、機器識別用非接触タグ１０３の制御部１０４がリーダライタ部２０１からの情報交信用電波を受信しても応答禁止とすることで、リーダライタ部２０１にて目的非接触タグ２０２の情報を読み取り可能とし、機器識別用非接触タグ１０３の情報を誤って読み取ることを防止することができる。
【００７１】
（実施の形態６）
本実施の形態において実施の形態４と同様の箇所については同一の符号を付して詳細な説明を省略する。実施の形態４と異なるのは、機器識別用非接触タグ１０３が有する識別情報を記憶部１０７に記憶しておき、さらに、図７に示すように比較部８０１を備え、リーダライタ部２０１で読み取った情報と記憶部１０７に記憶されている機器識別用非接触タグ１０３の識別情報とを比較部８０１により比較し、この比較結果に基づいてリーダライタ部２０１で読み取った情報を処理するようにした点である。
【００７２】
図７は実施の形態４で説明した図５に加えて、制御部１０２とリーダライタ部２０１との間に比較部８０１を設けた図である。なお、記憶部１０７には情報機器１０１の外部にあるリーダライタ部等により予め取得した機器識別用非接触タグ１０３の識別情報（ＪＩＳ  Ｘ６３２３−３（ＩＳＯ／ＩＥＣ１５６９３−３）「外部端子なしＩＣカード−近傍型−  第３部：衝突防止及び伝送プロトコル」に示されるＵＩＤ等のリーダライタ部と交信する非接触タグを特定するための情報）が記憶されており、この情報は制御部１０２により読み出すことが可能である。また、図８は情報機器１０１の動作を示すフローチャートである。
【００７３】
以下、図７と図８を用いて、本実施の形態の情報機器１０１について説明する。
【００７４】
情報機器１０１の操作者は、目的非接触タグ２０２の情報の読み取りを行うため、入力部１０６から目的非接触タグ２０２を読み取りを指示するための情報（キー押下情報）を入力する。そして、この入力を制御部１０２が検知すると、制御部１０２は、記憶部１０７に予め記憶されている機器識別用非接触タグ１０３の情報を読み出す（図８のＳＴＥＰ１）。制御部１０２は比較部８０１に機器識別用非接触タグ１０３の情報を送信し比較部８０１はこの情報を一時的に記憶する（ＳＴＥＰ２）。この後、制御部１０２からリーダライタ部２０１を制御して、非接触タグの情報を読み取る（ＳＴＥＰ３）。しかし、リーダライタ部２０１の情報交信用電波は図７中のＡ方向およびＢ方向に発生するため、機器識別用非接触タグ１０３または目的非接触タグ２０２のどちらの非接触タグのデータが取得できるか分からない。しかし、操作者は目的非接触タグ２０２の情報を取得したいので、情報機器１０１は以下の処理を実行する。リーダライタ部２０１で非接触タグの情報が読み取られると、比較部８０１にこの情報が送られ一時的に記憶される。比較部８０１では、ＳＴＥＰ２で得た記憶部１０７からの情報と、ＳＴＥＰ３で得たリーダライタ部２０１が読み取った情報との比較処理を行う（ＳＴＥＰ４）。そして、比較対象の情報が異なる場合には、リーダライタ部２０１から得た情報を制御部１０２に送信する（ＳＴＥＰ５）。一方、比較対象の情報が同じ場合は、リーダライタ部２０１から得た情報を無効とする（ＳＴＥＰ６）。なお、ここでいう情報を無効にするとは、リーダライタ部２０１にて非接触タグから取得された情報を制御部１０２に送信せず、比較部８０１にて消去し、リーダライタ部２０１に再度読み取り要求を行う動作を指す。そして、再度取得したリーダライタ部２０１の情報について同様の処理を行う。
【００７５】
以上のようにすることで、本実施の形態の情報機器１０１は、目的非接触タグ２０２の情報を読み取りたい場合に機器識別用非接触タグ１０３の情報が読み取られた場合でも、機器識別用非接触タグ１０３から読み取った情報を無効とすることができ、制御部１０２へは目的非接触タグ２０２から読み取った情報のみ送信することが可能となる。
【００７６】
なお、本実施の形態では、図７に示すように比較部８０１を独立して設ける例を示したが、制御部１０２内に比較部８０１と同様の処理を行うプログラムを設け、比較部８０１を独立して設けず制御部１０２で比較処理を行うようにしてもよい。
【００７７】
（実施の形態７）
本実施の形態において実施の形態６と同様の箇所については同一の符号を付して詳細な説明を省略する。実施の形態６と異なるのは、比較部８０１によりリーダライタ部２０１で読み取った情報と記憶部１０７に記憶されている機器識別用非接触タグ１０３の識別情報とを比較し、これらが一致した場合には制御部１０２から機器識別用非接触タグ１０３に応答禁止信号を送信して機器識別用非接触タグ１０３が応答しないようにした点である。
【００７８】
実施の形態６で示した情報機器１０１においては、比較部８０１でリーダライタ部２０１で読み取った情報と記憶部１０７に予め記憶している機器識別用非接触タグ１０３の識別情報と比較し、リーダライタ部２０１で読み取った情報が機器識別用非接触タグ１０３の識別情報と異なる場合にリーダライタ部２０１で読み取った情報を制御部１０２に送信して記憶部１０７に記憶することで目的非接触タグ２０２の情報を正しく取得できるようにした。しかし、この実施の形態６においては、機器識別用非接触タグ１０３が常時通信可能な状態となっているため、リーダライタ部２０１で読み取った情報を無効として再度リーダライタ部２０１で情報の読み取りを行う場合、再度、機器識別用非接触タグ１０３の情報を読み取ってしまうといったことが生じてしまい、目的非接触タグ２０２の情報の読み取りまでに時間がかってしまう。そこで、本実施の形態の情報機器１０１においては、比較部８０１によりリーダライタ部２０１で読み取った情報と記憶部１０７に記憶されている機器識別用非接触タグ１０３の識別情報とを比較し、これらが一致した場合には制御部１０２から機器識別用非接触タグ１０３に応答禁止信号を送信して機器識別用非接触タグ１０３を応答しないようにすることで、目的非接触タグ２０２の情報の読み取りまでの時間が長くなることを防ぐものである。
【００７９】
図７と図９を用いて本実施の形態の情報機器１０１について説明する。なお、図９は情報機器１０１の動作を示すフローチャートである。
【００８０】
情報機器１０１の操作者は、目的非接触タグ２０２の情報の読み出しを行うため、入力部１０６から目的非接触タグ２０２を読み取りを指示するための情報（キー押下等）を入力する。制御部１０２がこの入力情報を検知すると、制御部１０２は記憶部１０７に予め記憶されている機器識別用非接触タグ１０３の識別情報を読み出す（図９のＳＴＥＰ１）。制御部１０２は比較部８０１に機器識別用非接触タグ１０３の情報を送信し、比較部８０１はこの情報を一時的に記憶する（ＳＴＥＰ２）。この後、制御部１０２からリーダライタ部２０１を制御して非接触タグの情報を読み取る（ＳＴＥＰ３）。しかし、リーダライタ部２０１の情報交信用電波は図７に示すようにＡ方向およびＢ方向に出力されるため、機器識別用非接触タグ１０３と目的非接触タグ２０２とのどちらの非接触タグと通信を行いどちらの非接触タグの情報を取得できるか分からない。しかし、操作者は、目的非接触タグ２０２の情報を取得したいので、本実施の形態の情報機器１０１は以下の処理を実行する。
【００８１】
リーダライタ部２０１で非接触タグの情報が読み取られると、リーダライタ部２０１から比較部８０１にこの読み取った情報が送られる。比較部８０１では、この送られてきた情報と上記ＳＴＥＰ２で取得した機器識別用非接触タグ１０３の識別情報との比較処理を行う（ＳＴＥＰ４）。そして、比較部８０１が、リーダライタ部２０１で読み取られた情報と機器識別用非接触タグ１０３の識別情報とが異なると判断した場合、リーダライタ部２０１で読み取られた情報を制御部１０２に送信し、記憶部１０７に記憶する（ＳＴＥＰ５）。一方、比較部８０１が一致すると情判断した場合には、比較部８０１は取得した情報を無効とする（ＳＴＥＰ６）。なお、ここでいう情報を無効にするとは、リーダライタ部２０１にて非接触タグから取得された情報を制御部１０２に送信せず、比較部８０１にて廃棄する動作を指す。そして、ここで無効とした機器識別用非接触タグ１０３の情報を再度リーダライタ部２０１で読み取ってしまうことを防止する目的で、制御部１０２から機器識別用非接触タグ１０３に対して応答禁止指示を送信する（ＳＴＥＰ７）。この応答禁止指示により、機器識別用非接触タグ１０３は次回のリーダライタ部２０１からの読み取りに対して応答しない。これにより次回の読み取り時には目的とする目的非接触タグ２０２の情報を読み出すことが可能となる。なお、この機器識別用非接触タグ１０３に応答禁止については実施の形態４に示した処理と同様にして行われる。
【００８２】
また、図９では、ＳＴＥＰ４で比較部８０１での比較処理を行った後に、ＳＴＥＰ７で制御部１０２から機器識別用非接触タグ１０３に対して応答禁止指示を行っているが、このＳＴＥＰ７はＳＴＥＰ３より前に実行するようにしてもよい。
【００８３】
なお、本実施の形態では、図８に示すように、比較部８０１を独立して設ける例を示したが、制御部１０２内に比較部８０１と同様の処理を行うプログラムを設け、比較部８０１を独立して設けず制御部１０２で比較処理を行うようにしてもよい。
【００８４】
なお、上記した実施の形態１から７のそれぞれの形態において効果を有しているが、それぞれの形態を組み合わせて利用することも可能である。
【００８５】
また、上記した実施の形態１から７では、機器識別用非接触タグ１０３を情報機器１０１に内蔵する例について説明したが、この機器識別用非接触タグ１０３は、情報機器１０１内部に固定的に配置するものとしても良いし、コネクタや端子等を用いて取り外し可能なものとしてもよい。
【００８６】
また、上記した実施の形態１から７において、情報機器１０１に内蔵する非接触タグは、便宜上、機器識別用非接触タグ１０３と名づけているが、この機器識別用非接触タグ１０３が記憶できる情報は機器識別情報に限らず、電子マネーサービスを実現するための個人情報やＩＤ番号を記録することも可能であり、情報機器１０１の外部に設けられたリーダライタ部から機器識別用非接触タグ１０３の情報の読み取りおよび／または書き込みを行い、リーダライタ部の上位装置と組み合わせたシステムにおいて、電子マネーサービスや、個人認証用の非接触タグとして利用することも可能である。
【００８７】
（実施の形態８）
図５を用いて上記実施の形態４で説明した応答禁止となる機器識別用非接触タグ１０３について、図１０を用いて説明する。図１０は本実施の形態における機器識別用非接触タグ１０３の概略構成を示す図である。
【００８８】
図１０において、１０３は機器識別用非接触タグである。１０４は機器識別用非接触タグ１０３の制御部であり、４０２は機器識別用非接触タグ１０３の通信を行うためのアンテナである。また、９０１は機器識別用非接触タグ１０３の記憶部であり、機器識別用非接触タグ１０３に固有のＩＤ番号や情報機器１０１の制御部１０２等から送信されてきた情報の記憶などを行うものである。また、９０２は情報機器１０１の制御部１０２と通信を行うための通信部であり、９０３は情報機器１０１の制御部１０２と接続するための接続端子である。なお、通信部９０２および接続端子９０３は、シリアル信号の場合、物理的な送信信号線と受信信号線とグランド線とからなる。また、信号線の電圧レベルにて上位制御部からの指示を判定する場合は、一本の信号線とグランド線から構成することもできる。
【００８９】
なお、一般的に知られている非接触タグは、リーダライタ部等の上位装置との通信はアンテナ４０２を用いて行うため、本実施の形態の図１０に示す機器識別用非接触タグ１０３のように、通信部９０２や接続端子９０３を有していない。
【００９０】
機器識別用非接触タグ１０３は、例えば、図５で示したリーダライタ部２０１からの情報交信用電波を受信してアンテナ４０２で発生する誘導起電力により動作を行う。なお、機器識別用非接触タグ１０３は外部機器から電源供給を受けて動作することもできる。
【００９１】
機器識別用非接触タグ１０３は、リーダライタ部２０１からの情報交信用電波を受信すると、制御部１０４にて記憶部９０１に記憶されている固有ＩＤ等の情報を読み出し、アンテナ４０２を経由してリーダライタ部２０１に送信する。また、リーダライタ部２０１からアンテナ４０２を経由して受信した情報を、制御部１０４を経由して記憶部９０１に記憶することもできる。
【００９２】
以下に、機器識別用非接触タグ１０３を図５における情報機器１０１に内蔵した場合について説明する。この場合、接続端子９０３は情報機器１０１の制御部１０２に接続される。
【００９３】
情報機器１０１には非接触タグの情報の読み取りおよび／または書き込みを行うためのリーダライタ部２０１が備えられている。このリーダライタ部２０１が目的非接触タグ２０２の読み取り動作をする場合には、実施の形態４で説明したように、機器識別用非接触タグ１０３の応答を禁止する必要がある。そして、機器識別用非接触タグ１０３の応答を禁止する目的で、情報機器１０１の制御部１０２は、通信手段１０５を用いて機器識別用非接触タグ１０３に応答禁止信号を送出する。機器識別用非接触タグ１０３の制御部１０４は、接続端子９０３を経由して応答禁止信号を受信する。
【００９４】
ここで、応答禁止信号は、シリアル信号により伝達する場合は、「ＯＦＦ」等のキャラクタ列をＡＳＣＩＩコードに変換してシリアル信号にて送信される。なお、信号線の電圧レベルを用い、任意の電圧レベルを応答禁止信号と定義し、任意の電圧を送信することで応答禁止信号をすることもできる。
【００９５】
情報機器１０１の制御部１０２から応答禁止信号を受信している間は、機器識別用非接触タグ１０３の制御部１０４は応答禁止状態となり、リーダライタ部２０１からの情報交信用電波を受信しても情報の交信を行わない。なお、この応答を行わない動作は、制御部１０４内部に記憶されているプログラムにより実現される。このため、リーダライタ部２０１に機器識別用非接触タグ１０３の情報が送信されることはない。
【００９６】
なお、この応答禁止状態は、応答禁止信号が解除されるまで継続される。そして、応答禁止信号の解除は「ＯＮ」等のキャラクタ列をＡＳＣＩＩコードとしてシリアル信号にて送信する。また、信号線の電圧レベルにて任意の電圧レベルを応答禁止解除信号とすることもできる。
【００９７】
（実施の形態９）
図６を用いて上記実施の形態５で説明した応答禁止となる機器識別用非接触タグ１０３について、図１１を用いて説明する。図１１は本実施の形態における機器識別用非接触タグ１０３の概略構成を示す図である。
【００９８】
図１１において、１０３は機器識別用非接触タグである。１０４は機器識別用非接触タグ１０３の制御部であり、４０２は機器識別用非接触タグ１０３の通信を行うためのアンテナである。また、９０１は機器識別用非接触タグ１０３の記憶部であり、機器識別用非接触タグ１０３に固有のＩＤ番号や情報機器１０１の制御部１０２等から送信されてきた情報の記憶などを行うものである。また、７０２は光スイッチであり、この光スイッチ７０２は、光を受光した時にＯＮ状態となり、光を受光していない時にＯＦＦ状態となるものである。
【００９９】
なお、一般的に知られている非接触タグは、リーダライタ部２０１等の上位装置と行う情報通信は、アンテナ４０２を用いて行うものであり、応答を禁止するための光スイッチ７０２は有していない。
【０１００】
また、機器識別用非接触タグ１０３の制御部１０４は、光スイッチ７０２がＯＮ状態の時は応答禁止状態となり、リーダライタ部２０１から情報交信用電波を受信しても情報の送信を行わないものであり、また、光スイッチ７０２がＯＦＦ状態の時は通信可能な状態となるものである。そして、通信可能状態時に、リーダライタ部２０１から情報交信用電波を受信すると制御部１０４が記憶部９０１に記憶されている固有ＩＤ等の情報を読み出してアンテナ４０２を介してリーダライタ部２０１に送信することで応答を行う。また、リーダライタ部２０１からアンテナ４０２を介して制御部１０４が受信した情報を記憶部９０１に記憶することもできる。
【０１０１】
機器識別用非接触タグ１０３は、例えば、図６で示したリーダライタ部２０１からの情報交信用電波を受信してアンテナ４０２で発生する誘導起電力により動作を行う。なお、機器識別用非接触タグ１０３は外部機器から電源供給を受けて動作することもできる。
【０１０２】
以下に、機器識別用非接触タグ１０３を図６における情報機器１０１に内蔵した場合について説明する。
【０１０３】
機器識別用非接触タグ１０３は情報機器１０１の内部に外部から遮光された状態で格納されている。また、図６に示すように、情報機器１０１内には発光部７０１が配置されており、この発光部７０１は情報機器１０１の制御部１０２に接続されており、制御部１０２により点灯、消灯の制御が行われるものであり、機器識別用非接触タグ１０３に設けられている受光部７０２の前方に位置している。そして、発光部７０１の点灯と消灯に応じて、機器識別用非接触タグ１０３の光スイッチ７０２がＯＮ、ＯＦＦする。
【０１０４】
情報機器１０１には非接触タグの情報の読み取りおよび／または書き込みを行うためのリーダライタ部２０１が備えられており、このリーダライタ部２０１が目的非接触タグ２０２の読み取り動作をする場合には、実施の形態５で説明したように、機器識別用非接触タグ１０３の応答を禁止する必要がある。そして、機器識別用非接触タグ１０３の応答を禁止する目的で、情報機器１０１の制御部１０２は発光部７０１を点灯させて、機器識別用非接触タグ１０３の光スイッチ７０２をＯＮ状態とする。
【０１０５】
光スイッチ７０２がＯＮ状態の間は、非接触タグ１０３の制御部１０４は応答禁止状態となり、リーダライタ部２０１からの情報交信用電波を受信しても情報の送信は行わない。なお、この応答を行わない動作は、制御部１０４内部に記憶されているプログラムにより実現される。このため、リーダライタ部２０１に機器識別用非接触タグ１０３の情報が送信されることはない。
【０１０６】
この応答禁止状態は、光スイッチ７０２がＯＦＦ状態となるまで継続される。そして、情報機器１０１の制御部１０２が応答禁止状態を解除するために発光部７０１を消灯すると、これを光スイッチ７０２で検知することで応答禁止状態が解除される。
【産業上の利用可能性】
【０１０７】
本発明によれば、情報機器に備えられたリーダライタ部による情報機器に備えられた非接触タグの読み取りを防止して目的とする非接触タグの情報を読み取ることができ、情報機器に識別用非接触タグを設けて情報機器の識別が可能となるとともに、前記識別用非接触タグ以外の非接触タグの情報をリーダライタ部により読み取ることができるので、物品の識別などを行う情報機器として産業上有用である。
【図面の簡単な説明】
【０１０８】
【図１】本発明の情報機器の実施の形態１におけるブロック図
【図２】本発明の情報機器の実施の形態１における電波遮蔽物の配置を示す図
【図３】本発明の情報機器の実施の形態２におけるアンテナの配置を示す図
【図４】本発明の情報機器の実施の形態３におけるアンテナの配置を示す図
【図５】本発明の情報機器の実施の形態４におけるブロック図
【図６】本発明の情報機器の実施の形態５におけるブロック図
【図７】本発明の情報機器の実施の形態６におけるブロック図
【図８】本発明の情報機器の実施の形態６における制御部の処理を示すフローチャート
【図９】本発明の情報機器の実施の形態７における制御部の処理を示すフローチャート
【図１０】本発明の非接触タグの実施の形態８におけるブロック図
【図１１】本発明の非接触タグの実施の形態９におけるブロック図
【図１２】従来の情報機器の構成を示すブロック図
【図１３】従来の情報機器にリーダライタ部を追加した構成を示すブロック図
【符号の説明】
【０１０９】
１０１  情報機器
１０２  制御部（情報機器）
１０３  機器識別用非接触タグ
１０４  制御部（非接触タグ）
１０５  通信手段
１０６  入力部
１０７  記憶部
１０８  外部リーダライタ
２０１  リーダライタ部
２０２  目的非接触タグ
３０１  電波遮蔽物
４０１  アンテナ（リーダライタ部）
４０２  アンテナ（機器識別用非接触タグ）
４０４  アンテナ（目的非接触タグ）
６０１  駆動部
７０１  発光部
７０２  光スイッチ
８０１  比較部
９０１  記憶部（非接触タグ）
９０２  通信部
９０３  接続端子
Ａ      リーダライタ部から目的非接触タグに向かう電波の方向
Ｂ      リーダライタ部から機器識別用非接触タグに向かう電波の方向
【図１】
2006079263.tif 000003
【図２】
2006079263.tif 000004
【図３】
2006079263.tif 000005
【図４】
2006079263.tif 000006
【図５】
2006079263.tif 000007
【図６】
2006079263.tif 000008
【図７】
2006079263.tif 000009
【図８】
2006079263.tif 000010
【図９】
2006079263.tif 000011
【図１０】
2006079263.tif 000012
【図１１】
2006079263.tif 000013
【図１２】
2006079263.tif 000014
【図１３】
2006079263.tif 000015